(57)【要約】【課題】二層構造のプラスチック部材及びプラスチックキーキャップを提供する。【解決手段】本考案のプラスチック部材及びプラスチックキーキャップは、内部底層１０と、外部カバー層とを備え、係る内部底層１０の外面に浮き彫り文字または図案２０を有する。係る浮き彫り文字または図案２０は密閉空間を有し、係る密閉空間の周りの一部または全部が係る浮き彫り文字または図案２０によって囲まれており、また側面に外部と連絡する通り孔が形成される。係る外部カバー層は係る内部底層１０の外面を被覆しており、かつ係る元来の係る内部底層１０の外面に設けられた係る浮き彫り文字または図案２０が掛かる外部カバー層の外面にあらわれる。【選択図】図３
0003223316.tif 000002
【実用新案登録請求の範囲】
【請求項１】
内部底層と、外部カバー層とを備え、前記内部底層の外面に浮き彫り文字または図案を有する二層構造のプラスチック部材であって、
周囲の一部または全部が前記浮き彫り文字または図案によって囲まれた密閉空間を有し、前記密閉空間は側面に外部と連絡する通り孔が形成され、
前記外部カバー層は、前記内部底層の外面を被覆していて、元来の前記内部底層の外面に設けられた前記浮き彫り文字または図案が前記外部カバー層の外面にあらわれることを特徴とするプラスチック部材。
【請求項２】
前記外部カバー層の色調と前記内部底層の色調が異なり、前記内部底層の外面に設けられた前記浮き彫り文字または図案を前記外部カバー層の表面に表示できることを特徴とする請求項１記載のプラスチック部材。
【請求項３】
内部底層と、外部カバー層とを備え、前記内部底層の外面に浮き彫り文字または図案を有する二層構造のプラスチックキーキャップであって、
周りの一部また全部が前記浮き彫り文字または図案によって囲まれた密閉空間を有し、前記密閉空間は側面に外部と連絡する通り孔が形成され、
前記内部底層は、上部プランジャと、前記上部プランジャに接続する前部側面シートと、後部側面シートと、左側側面シートと、右側面シートとを有し、また台形を形成し、全体に下端が開口部を有する密閉状態を形成し、
前記外部カバー層は、前記内部底層の前記上部プランジャと、前記前部側面シートと、前記後部側面シートと、前記左側側面シートと、前記右側面シートとの外面を被覆していて、前記内部底層の外面に設けられた前記浮き彫り文字または図案が前記外部カバー層の上面にあらわれることを特徴とするプラスチックキーキャップ。
【請求項４】
前記外部カバー層の色調と前記内部底層の色調とが異なることによって、前記内部底層の外面に設けられた前記浮き彫り文字または図案が前記外部カバー層の表面にはっきりあらわれることを特徴とする請求項３記載のプラスチックキーキャップ。
【考案の詳細な説明】
【技術分野】
【０００１】
本考案はプラスチック部材に関し、特に表面に文字または図案を備えた二層構造のプラスチック部材及びプラスチックキーキャップに関する。
【背景技術】
【０００２】
図１に示すように、公知の二層構造のプラスチック部材、例えばキーキャップなどを製造するときは、まず内部底層１０’を形成し、係る内部底層１０’の外面に浮き彫り文字または図案２０’を形成し、係る浮き彫り文字または図案２０’が密閉空間３０’を有する。係る密閉空間３０’の周りの全部または一部は係る浮き彫り文字または図案２０’によって囲まれている。係る密閉空間３０’の底部に、下向きに連絡する通り孔４０’を形成した上、引き続き係る内部底層１０’の外面が係る密閉空間３０’の付近場所に下向きに連絡するもう一つの通り孔４０’、４１’を形成し、さらに係る内部底層１０’の内面にある前述の２つの通り孔４０’、４１’の間に浅い通路４５’を形成する。
【０００３】
図２に示すように、外部カバー層７０’を形成するときは、内部底層１０’の外周部と、内部とに２つの鋳型２００’が内部底層１０’を挟んで置かれ、被せ部材７１’が２つの鋳型２００’間の空隙を介して、内部底層１０’の表面に注入される。すると、被せ部材７１’が内部底層１０’の外面にある密閉空間３０’の付近場所にあるもう一つの通り孔４０’を経由して４１’下方に浅い通路４５’に沿って流れ、さらに密閉空間３０’の底部にある通り孔４０’、４０’より密閉空間３０’の内部に注入される。これによって、外部カバー層７０’の外面に、内部底層１０’の外面に浮き彫り文字または図案２０’が形成される。
【考案の概要】
【考案が解決しようとする課題】
【０００４】
しかし、前述の公知例においては、外部カバー層７０’を製造するときは、内部底層１０’の外周部と内部とを合わせて２つの鋳型２００’で挟むようにしなければならない。よって、係る公知例の製造プロセスにおいては、このステップは人の手で内部底層１０’を２つの鋳型２００’に取り付けて外部カバー層７０’を製造しなければならない。このようなステップは、手間が掛かるばかりでなく、全体の製造プロセスが長くなるため、経済効果も悪い。
よって、本考案は、前述した従来技術の欠点解消のため、表面に文字または図案を備える二層構造のプラスチック部材及びプラスチックキーキャップの斬新な製造法を提供することを目的とする。
【課題を解決するための手段】
【０００５】
本考案によるプラスチック部材は、内部底層と、外部カバー層とを備え、前記内部底層の外面に浮き彫り文字または図案を有する二層構造である。
このプラスチック部材は、周囲の一部または全部が前記浮き彫り文字または図案によって囲まれた密閉空間を有し、前記密閉空間は側面に外部と連絡する通り孔が形成される。
前記外部カバー層は、前記内部底層の外面を被覆していて、元来の前記内部底層の外面に設けられた前記浮き彫り文字または図案が前記外部カバー層の外面にあらわれる。
本考案によるプラスチックキーキャップは、内部底層と、外部カバー層とを備え、前記内部底層の外面に浮き彫り文字または図案を有する二層構造である。
このプラスチックキーキャップは、周りの一部また全部が前記浮き彫り文字または図案によって囲まれた密閉空間を有し、前記密閉空間は側面に外部と連絡する通り孔が形成される。
前記内部底層は、上部プランジャと、前記上部プランジャに接続する前部側面シートと、後部側面シートと、左側側面シートと、右側面シートとを有し、また台形を形成し、全体に下端が開口部を有する密閉状態を形成する。
前記外部カバー層は、前記内部底層の前記上部プランジャと、前記前部側面シートと、前記後部側面シートと、前記左側側面シートと、前記右側面シートとの外面を被覆していて、前記内部底層の外面に設けられた前記浮き彫り文字または図案が前記外部カバー層の上面にあらわれる。
【０００６】
（本考案の効果）
本考案によるプラスチック部材及びプラスチックキーキャップは、表面に浮き彫り文字または図案を有する内部底層を適用し、係る浮き彫り文字または図案に設けられた密閉空間の側面に外部と連絡する通り孔４０’を有する。
よって、製造するときは、一つのみの外部鋳型を内部底層の上面に取り付けることで、被せ部材を内部底層の表面に注入し、係る通り孔４０’を介して、密閉空間内部に注入して、内部底層外部周りの外部カバー層を形成することができる。外部カバー層を形成するときは、２つの鋳型の代わりに一つの鋳型のみを使用するため、製造プロセス全体が機械によって完遂され、人の手で作業する必要がない。
本考案の特徴と長所のさらなる理解を図るため、添付図面を参照し、以下に説明する。
【図面の簡単な説明】
【０００７】
【図１】公知技術のプラスチック部材の内部底層の態様を示す断面図。
【図２】公知技術のプラスチック部材の製造時の態様を示す断面図。
【図３】本考案の内部底層の態様を示す斜視図。
【図４】図３の局所拡大斜視図。
【図５】図３の後部からみた態様を示す斜視図。
【図６】図５の局所拡大斜視図。
【図７】本考案の製造プロセスの様態を示す断面図。
【図８】本考案の製造プロセスのもう一つの様態を示す断面図。
【図９】本考案の製造プロセスのさらに別の様態を示す断面図。
【図１０】本考案の製造プロセスを適用して、製造された二層形プラスチック部材を示す斜視図。
【図１１】本考案の製造フローの概略を示すフロー図。
【図１２】本考案のもう一つの製造プロセスの態様を示す図。
【図１３】本考案のもう一つの製造プロセスのもう一つの態様を示す断面図。
【図１４】図１３の局所拡大図。
【図１５】本考案のもう一つの製造プロセスのもう一つの態様を示す断面図。
【図１６】本考案のもう一つの製造プロセスのさらに別の態様を示す断面図。
【図１７】図１６の局所拡大断面図。
【図１８】図１７の図から外部鋳型を取り除いた態様を示す断面図。
【図１９】本考案のもう一つの製造プロセスを適用して製造された二層構造のプラスチック部材の斜視図。
【図２０】本考案のもう一つの製造フローの概略を示すフロー図。
【図２１】本考案の二層構造のプラスチック部材の実施態様を示す斜視図。
【図２２】図２１の側面の態様を示す平面図。
【図２３】図２１のＡ−Ａ’線の断面図。
【図２４】本考案のプラスチック部材の実施例における内部底層の態様を示す斜視図。
【図２５】図２４を後部からみた態様を示す斜視図。
【図２６】図２５の局所拡大斜視図。
【図２７】本考案のプラスチックキーキャップの実施態様を示す斜視図。
【図２８】図２７の側面の態様を示す平面図。
【図２９】図２７のＡ−Ａ’線の断面図。
【図３０】図２７のＢ−Ｂ’線の断面図。
【図３１】本考案のプラスチックキーキャップの実施例における内部底層の態様を示す斜視図。
【図３２】図３１の後部からみた態様を示す斜視図。
【図３３】図３２の局所拡大図。
【考案を実施するための形態】
【実施例】
【０００８】
本考案によるプラスチック部材及びプラスチックキーキャップの構成、発揮しうる効果ならびに利点を、図面と合わせて、一つの好ましい実施例について、以下のとおり詳細に説明する。
【０００９】
図１１に示すように、本考案によるプラスチック部材及びプラスチックキーキャップの表面に、文字または図案を備える二層形プラスチック部材の製造法は、次のステップを含む。
【００１０】
（ステップ８０１）
内部鋳型１００を用いて内部底層１０（図７に示す）を形成する。係る内部底層１０の外面に浮き彫り文字２１または図案２２（図３ないし図６に示す）を有し、係る浮き彫り文字２１または図案２２に周りの全部または一部が囲まれている密閉空間３０（図６に示す）を含む。係る密閉空間３０の側面に、外部と連絡する通り孔４０’、４０が形成されている。
【００１１】
（ステップ８０２）
内部底層１０を外部鋳型２００の下方に取り付けて（図８に示す）、文字２１または図案２２の上端を外部鋳型２００の内面に突き上げて、被せ部材７１が外部鋳型２００を介して内部底層１０の表面に注入し、被せ部材７１が密閉空間３０の側面に形成した外部と連絡する通り孔４０’を介して４０密閉空間３０の内部に注入する。
【００１２】
（ステップ８０３）
引き続き、離型ステップ（ステップ８０３）において、外部鋳型２００を取り除いて、被せ部材７１に外部カバー層７０を形成する（図９に示す）。外部カバー層７０の外面が元来の内部底層１０外面に設けられた浮き彫り文字２１または図案２２をあらわす（図１０に示す）。
【００１３】
外部カバー層７０の色調と、内部底層１０の色調と異なることが好ましい。これにより、内部底層１０外面に設けられた浮き彫り文字２１または図案２２がはっきり外部カバー層７０の表面にあらわれる。
【００１４】
本考案によるプラスチック部材及びプラスチックキーキャップを製造するときは、人手によらずに、回転ジグ３００を用いて前述のプロセスを完結できる。図２０に示すように、本考案の表面に浮き彫り文字または図案を備える二層構造のプラスチック部材の製造方法の、もう一つの製造プロセスを示す。
係るもう一つの製造プロセスは、次のステップを含む。図２０に、本考案の表面に文字または図案を備える二層形プラスチック部材の製造方法を示す。
【００１５】
（ステップ９０１）
内部鋳型１００を用いて内部底層１０（図１３に示す）を形成する。係る内部底層１０の外面には浮き彫り文字２１または図案２２（図１４に示す）を有しており、係る浮き彫り文字２１または図案２２に周りの全部または一部が囲まれている密閉空間３０（図６に示す）を含む。係る密閉空間３０の側面に、外部と連絡する通り孔４０’が形成されている。
【００１６】
（ステップ９０２）
回転ジグ３００の接触ピン３０１によって、内部底層１０を取り出す（図１３に示す）。回転ジグ３００が駆動機構４００につながれていて、駆動機構４００によって回転ジグ３００が駆動される。
【００１７】
（ステップ９０３）
駆動機構４００を用いて、回転ジグ３００を所定の角度まで回す（図１５に示す）。
【００１８】
（ステップ９０４）
駆動機構４００を用いて、回転ジグ３００を外部鋳型２００の前方に押し込み、内部底層１０を外部鋳型２００の後部に取り付けて（図１６に示す）、係る浮き彫り文字２１または図案２２の先端部を外部鋳型２００の内面に突き上げる。引き続き、被せ部材７１が外部鋳型２００を介して内部底層１０の表面に注入され、被せ部材７１が密閉空間３０の側面に形成した外部と連絡する通り孔４０’を介して４０密閉空間３０の内部に注入される。
【００１９】
（ステップ９０５）
離型ステップ（ステップ９０５）において、外部鋳型２００を取り除いて、被せ部材７１に外部カバー層７０を形成し（図１８に示す）、外部カバー層７０の外面が元来の内部底層１０外面に設けられた浮き彫り文字２１または図案２２をあらわす（図１０に示す）。
【００２０】
外部カバー層７０の色調と、内部底層１０の色調と異なることが好ましい。これにより、内部底層１０外面に設けられた浮き彫り文字２１または図案２２が、はっきり外部カバー層７０の表面にあらわれる。
【００２１】
本考案は、幅広く実施できる。実務上、実施例には、図２１ないし図２６に示すように、本考案の表面に浮き彫り文字または図案をあらわす二層構造のプラスチック部材は、内部底層１０（図２２ないし図２６に示す）を含む。
【００２２】
内部底層１０の外面に浮き彫り文字２１または図案２２を有し、文字２１または図案２２の全部または一部によって囲まれている密閉空間３０を有する。密閉空間３０の側面に外部と連絡する通り孔４０’、４０が形成されている（図２３と、図２６に示す）。係る密閉空間３０の側面に外部と連絡する通り孔４０（図２３と、図２６に示す）が形成されている。
【００２３】
外部カバー層７０が内部底層１０の外周部を被覆していて（図２１、図２３に示す）、かつ外部カバー層７０の外面に、元来の内部底層１０外面に設けられた浮き彫り文字２１または図案２２をあらわす。
【００２４】
外部カバー層７０の色調と、内部底層１０の色調と異なることが好ましい。これにより、内部底層１０外面に設けられた浮き彫り文字２１または図案２２がはっきり外部カバー層７０の表面にあらわれる。
【００２５】
図２６ないし図３３に、本考案のもう一つの実施例をしめす。以下、内部底層１０（図２８ないし図３３に示す）表面に浮き彫り文字または図案を備えた二層構造のプラスチックキーキャップの製造方法を説明する。
【００２６】
内部底層１０の外面に浮き彫り文字２１または図案２２を有し、浮き彫り文字２１または図案２２の全部または一部によって囲まれている密閉空間３０を有し、係る密閉空間３０の側面に外部と連絡する通り孔４０’、４０が形成されている（図２３と、図３３に示す）。
【００２７】
本実施例において、係る浮き彫り文字２１がＥｎｔｅｒキーであり、係る図案２２がリターンキーである。そのうち、かかる浮き彫り文字２１のｅには、密閉空間３０を有する。係る密閉空間３０の側面に外部と連絡する通り孔４０（図２９と、図３３に示す）が形成されている。
【００２８】
内部底層１０が台形の態様を示す。上部プランジャ５１と、上部プランジャ５１に接続する前部側面シート５２と、後部側面シート５３と、左側側面シート５４と、右側面シート５５とを含む（図３０と、図３１に示す）。全体に下端に開口部を有する密閉態様を形成する。
【００２９】
外部カバー層７０が内部底層１０の上部プランジャ５１と、前部側面シート５２と、後部側面シート５３と、左側側面シート５４と、右側面シート５５の外周部とを被覆している（図２９と、図３０に示す）。そのうち、かかる内部底層１０外面に設けられた浮き彫り文字２１または図案２２が外部カバー層７０の表面にあらわれる。
【００３０】
外部カバー層７０の色調と、内部底層１０の色調と異なることが好ましい。これにより、内部底層１０外面に設けられた浮き彫り文字２１または図案２２がはっきり外部カバー層７０の表面にあらわれる。
【００３１】
上記の詳細内容は、本考案の好ましい実施例について説明するものである。ただし、該実施例は本考案になんらの制限をも加えようとするものではない。本考案の技術精神に基づく均等効果の実施又は変更がすべて、本考案の実用新案登録請求の範疇に含まれる。
【符号の説明】
【００３２】
１０，１０’  ・・・内部底層
１００  ・・・内部鋳型
２０，２０’  ・・・浮き彫り文字または図案
２００，２００’  ・・・外部鋳型
２１  ・・・浮き彫り文字
２２  ・・・図案
３０，３０’  ・・・密閉空間
３００  ・・・回転ジグ
３０１  ・・・接触ピン
４０，４０’，４１’  ・・・通り孔
４００  ・・・駆動機構
４５’  ・・・浅い通路
５１  ・・・上部プランジャ
５２  ・・・前部側面シート
５３  ・・・後部側面シート
５４  ・・・左側側面シート
５５  ・・・右側面シート
７０，７０’  ・・・外部カバー層
７１，７１’  ・・・被せ部材
【図１】
0003223316.tif 000003
【図２】
0003223316.tif 000004
【図３】
0003223316.tif 000005
【図４】
0003223316.tif 000006
【図５】
0003223316.tif 000007
【図６】
0003223316.tif 000008
【図７】
0003223316.tif 000009
【図８】
0003223316.tif 000010
【図９】
0003223316.tif 000011
【図１０】
0003223316.tif 000012
【図１１】
0003223316.tif 000013
【図１２】
0003223316.tif 000014
【図１３】
0003223316.tif 000015
【図１４】
0003223316.tif 000016
【図１５】
0003223316.tif 000017
【図１６】
0003223316.tif 000018
【図１７】
0003223316.tif 000019
【図１８】
0003223316.tif 000020
【図１９】
0003223316.tif 000021
【図２０】
0003223316.tif 000022
【図２１】
0003223316.tif 000023
【図２２】
0003223316.tif 000024
【図２３】
0003223316.tif 000025
【図２４】
0003223316.tif 000026
【図２５】
0003223316.tif 000027
【図２６】
0003223316.tif 000028
【図２７】
0003223316.tif 000029
【図２８】
0003223316.tif 000030
【図２９】
0003223316.tif 000031
【図３０】
0003223316.tif 000032
【図３１】
0003223316.tif 000033
【図３２】
0003223316.tif 000034
【図３３】
0003223316.tif 000035
【手続補正書】
【提出日】令和1年7月30日(2019.7.30)
【手続補正１】
【補正対象書類名】実用新案登録請求の範囲
【補正対象項目名】請求項１
【補正方法】変更
【補正の内容】
【請求項１】
上面に突出して浮き彫り文字または図案を形成する内部底層と、前記浮き彫り文字または図案を除く前記内部底層の上面を被覆する外部カバー層とを備える二層構造のプラスチック部材であって、
前記内部底層は、前記浮き彫り文字または図案によって囲まれた密閉空間を有し、また前記密閉空間の内部と前記密閉空間の外部とを連絡する通り孔を有し、
前記浮き彫り文字または図案が前記外部カバー層を含む前記プラスチック部材の外面にあらわれることを特徴とするプラスチック部材。
【手続補正２】
【補正対象書類名】実用新案登録請求の範囲
【補正対象項目名】請求項３
【補正方法】変更
【補正の内容】
【請求項３】
上面に突出して浮き彫り文字または図案を形成する内部底層と、前記浮き彫り文字または図案を除く前記内部底層の上面を被覆する外部カバー層とを備える二層構造のプラスチックキーキャップであって、
前記内部底層は、前記浮き彫り文字または図案によって囲まれた密閉空間を有し、また前記密閉空間の内部と前記密閉空間の外部とを連絡する通り孔を有し、
前記内部底層は、上部プランジャと、前記上部プランジャに接続する前部側面シートと、前記上部プランジャに接続する後部側面シートと、前記上部プランジャに接続する左側側面シートと、前記上部プランジャに接続する右側面シートとを有し、前記前部側面シートと前記左側側面シートと前記後部側面シートと前記右側面シートとはこの順に相互に接続し、また前記上部プランジャと前記前部側面シートと前記後部側面シートと前記左側側面シートと前記右側面シートとは一体で台形状の前記内部底層を形成し、前記内部底層の下端全体が開口部となり、前記内部底層が前記開口部の上面を閉塞する密閉状態を形成し、
前記浮き彫り文字または図案が前記外部カバー層を含む前記プラスチック部材の上面にあらわれることを特徴とするプラスチックキーキャップ。
【手続補正３】
【補正対象書類名】明細書
【補正対象項目名】０００５
【補正方法】変更
【補正の内容】
【０００５】
本考案によるプラスチック部材は、上面に突出して浮き彫り文字または図案を形成する内部底層と、前記浮き彫り文字または図案を除く前記内部底層の上面を被覆する外部カバー層とを備える二層構造である。
このプラスチック部材の内部底層は、前記浮き彫り文字または図案によって囲まれた密閉空間を有し、また前記密閉空間の内部と前記密閉空間の外部とを連絡する通り孔を有する。
前記浮き彫り文字または図案が前記外部カバー層を含む前記プラスチック部材の外面にあらわれる。
本考案によるプラスチックキーキャップは、上面に突出して浮き彫り文字または図案を形成する内部底層と、前記浮き彫り文字または図案を除く前記内部底層の上面を被覆する外部カバー層とを備える二層構造である。
このプラスチックキーキャップの内部底層は、前記浮き彫り文字または図案によって囲まれた密閉空間を有し、また前記密閉空間の内部と前記密閉空間の外部とを連絡する通り孔を有する。
前記内部底層は、上部プランジャと、前記上部プランジャに接続する前部側面シートと、前記上部プランジャに接続する後部側面シートと、前記上部プランジャに接続する左側側面シートと、前記上部プランジャに接続する右側面シートとを有し、前記前部側面シートと前記左側側面シートと前記後部側面シートと前記右側面シートとはこの順に相互に接続し、また前記上部プランジャと前記前部側面シートと前記後部側面シートと前記左側側面シートと前記右側面シートとは一体で台形状の前記内部底層を形成し、前記内部底層の下端全体が開口部となり、前記内部底層が前記開口部の上面を閉塞する密閉状態を形成する。
前記浮き彫り文字または図案が前記外部カバー層を含む前記プラスチック部材の上面にあらわれる。